(57)【特許請求の範囲】
【請求項１】
押しボタンスイッチが含まれる複数の操作受付部を有し、当該操作受付部への入力操作に応じた入力信号を出力する第１操作手段と、
外部機器と通信を行って入力信号を受信し、出力信号を送信する第１通信手段と、
入力信号に応じた動作制御を行う第１制御手段と、
を備え、
前記複数の操作受付部のうちの１つは、前記第１制御手段により実行可能な複数の機能モードの中から何れかを選択して切り替えるための機能切替操作受付部であり、
前記第１制御手段は、
第１入力信号が入力された場合には、前記機能切替操作受付部を含む前記操作受付部を、前記外部機器で実行される所定の動作処理に係る外部機器操作受付部として割り当てて、
当該外部機器操作受付部として割り当てられた前記操作受付部への入力操作が検出された場合には、前記第１通信手段を介して当該入力操作に応じた前記動作処理に係る操作要求を前記外部機器へ送信し、
第２入力信号が入力された場合には、前記外部機器操作受付部としての割り当てを終了し、
前記第１入力信号及び前記第２入力信号は、所定の前記押しボタンスイッチが所定時間継続的に押下された長押し操作が検出されることで前記第１操作手段から出力される信号であり、
前記第１制御手段は、前記第１入力信号が入力されてから前記第２入力信号が入力されるまでの間、前記操作受付部への各操作の終了をそれぞれ検知した場合に前記外部機器操作受付部としてユーザの操作を受け付ける
ことを特徴とする電子時計。
【請求項２】
前記第１入力信号及び前記第２入力信号は、前記第１通信手段により前記外部機器から受信された信号であることを特徴とする請求項１記載の電子時計。
【請求項３】
前記第１入力信号の入力は、押しボタンスイッチである前記機能切替操作受付部であり、
前記第２入力信号の入力は、前記外部機器操作受付部としての割り当てられている前記機能切替操作受付部である
ことを特徴とする請求項１又は２記載の電子時計。
【請求項４】
前記第１制御手段は、前記操作受付部を前記外部機器操作受付部として割り当てている間に前記第１通信手段による前記外部機器との通信接続が切断された場合には、当該割り当てを終了することを特徴とする請求項１〜３の何れか一項に記載の電子時計。
【請求項５】
前記第１制御手段は、前記外部機器操作受付部としての割り当てを終了した場合には、前記複数の機能モードのうち、通常の時刻表示に係る機能モードに遷移させることを特徴とする請求項１〜４の何れか一項に記載の電子時計。
【請求項６】
通信を行うための第２通信手段と、
一又は複数のアプリケーションの動作制御を行う第２制御手段と、
を備えた外部機器と、
請求項１〜５の何れか一項に記載の電子時計と、
を含む操作設定切り替えシステムであって、
前記第２制御手段は、
前記アプリケーションのうち実行中のものについて、前記電子時計から所定の操作要求を受け付けるか否かを設定する外部操作設定手段と、
前記電子時計から所定の操作要求を受け付ける設定がなされている場合に、前記第２通信手段により前記電子時計から当該操作要求が受信された場合には、当該受信された操作要求に応じて前記アプリケーションの動作制御を行う外部操作受付制御手段と、
を有する
ことを特徴とする操作設定切り替えシステム。
【請求項７】
前記外部機器は、ユーザ操作を受け付ける第２操作手段を備え、
前記外部操作設定手段は、前記第２操作手段へのユーザの入力操作に基づいて、前記アプリケーションのうち実行中のものについて、前記電子時計からの操作要求を受け付けるか否かを設定することを特徴とする請求項６記載の操作設定切り替えシステム。
【請求項８】
前記外部機器は、表示手段を備え、
前記外部操作設定手段は、前記第２操作手段へのユーザの入力操作に基づいて前記アプリケーションのうち実行中のものを検索し、当該検索されたアプリケーションを、ユーザによる選択操作が可能に前記表示手段にリスト表示させる
ことを特徴とする請求項７記載の操作設定切り替えシステム。
【発明の詳細な説明】
【技術分野】
【０００１】
この発明は、電子時計及び操作設定切り替えシステムに関する。
【背景技術】
【０００２】
従来、種々の機能を備え、これらを選択的に切り替えて又は並行して機能させることが可能な電子機器がある。このような電子機器では、多くの場合、一部の操作キーや押しボタンスイッチといった操作受付部が機能ごとに各々設定された操作命令に割り当てられて利用されている。また、操作の種類に対して操作受付部の数が不足している場合などには、複数の操作受付部への操作の組合せや、ボタンの長押しや連続操作といった操作方法の識別により、多くの操作が可能となっている。
【０００３】
例えば、特許文献１には、オプションユニットを装着可能な携帯電話機において、取り付けられたオプションユニットに応じて所定の操作キーの操作に係る処理内容を切り替え設定する技術について記載されている。
【０００４】
一方で、一の電子機器での動作機能に係る操作を腕時計から無線通信を介して遠隔制御する技術がある。特許文献２には、携帯電話のカメラ機能におけるシャッター操作をBluetooth（登録商標）による通信を介して腕時計から行わせる際に、当該腕時計の操作モードを携帯電話からの指令で切り替える技術について開示されている。
【先行技術文献】
【特許文献】
【０００５】
【特許文献１】特開２００４−１１２３９２号公報
【特許文献２】特開２００９−１１８４７４号公報
【発明の概要】
【発明が解決しようとする課題】
【０００６】
しかしながら、電子時計、特に、電子腕時計のように操作受付部の配置可能数が少なく、また、複雑な操作に適していない電子機器では、速やかに機能を切り替えることが可能なように、従来、機能を切り替えるための操作受付部が専用で設けられている。従って、この専用の操作受付部の分、各機能モードに係る操作に用いることが出来る操作受付部の数が減少して、更に、操作の種類が制約されたり複数の操作の組合せが煩雑になったりするという課題がある。
【０００７】
この発明の目的は、操作の利便性を損なわずにより多様な機能動作が可能となる電子時計及び操作設定切り替えシステムを提供することにある。
【課題を解決するための手段】
【０００８】
本発明は、上記目的を達成するため、
押しボタンスイッチが含まれる複数の操作受付部を有し、当該操作受付部への入力操作に応じた入力信号を出力する第１操作手段と、
外部機器と通信を行って入力信号を受信し、出力信号を送信する第１通信手段と、
入力信号に応じた動作制御を行う第１制御手段と、
を備え、
前記複数の操作受付部のうちの１つは、前記第１制御手段により実行可能な複数の機能モードの中から何れかを選択して切り替えるための機能切替操作受付部であり、
前記第１制御手段は、
第１入力信号が入力された場合には、前記機能切替操作受付部を含む前記操作受付部を、前記外部機器で実行される所定の動作処理に係る外部機器操作受付部として割り当てて、
当該外部機器操作受付部として割り当てられた前記操作受付部への入力操作が検出された場合には、前記第１通信手段を介して当該入力操作に応じた前記動作処理に係る操作要求を前記外部機器へ送信し、
第２入力信号が入力された場合には、前記外部機器操作受付部としての割り当てを終了し、
前記第１入力信号及び前記第２入力信号は、所定の前記押しボタンスイッチが所定時間継続的に押下された長押し操作が検出されることで前記第１操作手段から出力される信号であり、
前記第１制御手段は、前記第１入力信号が入力されてから前記第２入力信号が入力されるまでの間、前記操作受付部への各操作の終了をそれぞれ検知した場合に前記外部機器操作受付部としてユーザの操作を受け付ける
ことを特徴とする電子時計である。
【発明の効果】
【０００９】
本発明に従うと、電子時計において、操作の利便性を損なわずにより多様な機能動作が可能となるという効果がある。
【図面の簡単な説明】
【００１０】
【図１】本発明の実施形態の操作設定切り替えシステムの全体図である。
【図２】電子腕時計の内部構成を示すブロック図である。
【図３】電子腕時計の平面図である。
【図４】スマートフォンの内部構成を示すブロック図である。
【図５】電子腕時計が実行可能な機能モードの切り替えについて説明する図である。
【図６】電子腕時計の操作設定切り替えに係る表示画面を示す図である。
【図７】スマートフォンのアプリ操作オンオフ設定処理の制御手順を示すフローチャートである。
【図８】スマートフォンにおいて実行される電子腕時計によるアプリ操作のオンオフに係る設定処理の制御手順を示すフローチャートである。
【図９】電子腕時計への入力操作の制御に係る処理の制御手順を示すフローチャートである。
【発明を実施するための形態】
【００１１】
以下、本発明の実施の形態を図面に基づいて説明する。
図１は、本発明の実施形態の操作設定切り替えシステム１の全体図である。
この操作設定切り替えシステム１は、操作対象の外部機器としてのスマートフォン１０と、操作設定の切り替えが行われる電子時計としての電子腕時計４０とにより構成される。スマートフォン１０と電子腕時計４０との間では、Bluetooth（登録商標）による相互通信が可能となっている。
【００１２】
図２は、電子腕時計４０の内部構成を示すブロック図である。
この電子腕時計４０は、バンドでユーザの腕に装着可能なものである。電子腕時計４０は、ＣＰＵ（Central Processing Unit）４１（第１制御手段）と、ＲＯＭ（Read Only Memory）４２と、ＲＡＭ（Random Access Memory）４３と、計時回路４４と、操作部４５（第１操作手段）と、表示部４６及びその表示ドライバ４７と、Bluetoothモジュール４８及びそのアンテナＡＮ４と、ＵＡＲＴ（Universal Asynchronous Receiver/Transmitter）４９と、傾斜センサ５０と、振動モータ５１及びそのドライバ５２と、ブザー部５３及びそのドライバ５４と、照明部５５及びそのドライバ５６と、バス５９などを備えている。
【００１３】
ＣＰＵ４１は、種々の演算処理を行い、電子腕時計４０の全体動作を統括制御する。ＣＰＵ４１は、ＲＯＭ４２から電子腕時計４０の動作に係る各種制御プログラムを読み出して実行する。
【００１４】
ＲＯＭ４２には、電子腕時計４０の動作に係る各種制御プログラム及び初期設定データが格納されている。この制御プログラムの中には、操作部４５の各押しボタンスイッチの操作に対応する処理の割り当て設定を行うための操作設定プログラムや、スマートフォン１０とBluetooth通信を行うための接続制御プログラム４２１が含まれている。
ＲＡＭ４３は、ＣＰＵ４１に作業用のメモリ空間を提供し、また、一時データを記憶する。ＲＡＭ４３の記憶する一時データには、電子腕時計４０の現在の機能モードや、当該機能モードにおける各押しボタンスイッチの割り当て設定を定めるデータであるスイッチ割当設定４３１などが含まれている。
【００１５】
計時回路４４は、図示略の発振回路から入力された所定の周波数信号を計数して初期時刻データに加算することにより現在時刻を保持するカウンタである。或いは、ＣＰＵ４１の制御によりソフトウェア的に計数された現在時刻が計時回路４４に記憶される構成であっても良い。
【００１６】
操作部４５は、外部からの入力を受け付ける複数の操作受付部、例えば、ここでは、５つの押しボタンスイッチＢ１〜Ｂ５（操作受付部、外部機器操作受付部）を有し、ユーザによる各操作受付部への入力操作に応じた電気信号を発生させて入力信号としてＣＰＵ４１に出力する。
【００１７】
表示部４６は、表示画面４６ａ、例えば、ＬＣＤ（液晶ディスプレイ）を備え、表示ドライバ４７からの駆動信号に応じて電子腕時計４０の動作モードや各種設定メニューの表示を行う。表示画面４６ａには、特には限られないが、ドットマトリクス方式での表示が可能な区域とセグメント方式での表示が可能な区域とがそれぞれ設けられている。
【００１８】
図３は、電子腕時計４０の表示画面４６ａ及び押しボタンスイッチＢ１〜Ｂ５を示す平面図である。
この電子腕時計４０は、中央の表示画面４６ａが複数の表示区域に分割されている。これらの複数の表示区域のうち、下部及び左上の表示区域がそれぞれセグメント方式での表示を行う区域であり、右上の区域がドットマトリクス方式での表示を行う区域である。また、これらに加えて、左上には、Bluetoothによる通信中であること示す標識が設けられた区域があり、また、右下には、各機能のオンオフなどを示すインディケータがある。セグメント方式での表示区域は、日時、ストップウォッチやタイマーの計数時間及びアラーム設定時刻などの数字の表示を主に行うが、機能モードによってはこれに限られない。ドットマトリクス方式での表示区域は、アルファベットや記号などの各種文字を表示する際に優先的に用いられるが、数字の表示も行うことが可能である。
【００１９】
電子腕時計４０の正面下部には、押しボタンスイッチＢ１が設けられており、通常の基本時計モードでは、当該押しボタンスイッチＢ１によりBluetooth通信の電源がオンとオフの間で切り替えられる。また、電子腕時計４０の側面には、表示画面４６ａに対して左右にそれぞれ上下２つずつの押しボタンスイッチＢ２〜Ｂ５が設けられている。表示画面４６ａに対して左側の側面部には、押しボタンスイッチＢ２、Ｂ３が設けられている。押しボタンスイッチＢ２は、標識「ＬＩＧＨＴ」が設けられているように、通常の機能モード、即ち、基本時計モードでは、押下されることで照明部５５を点灯させるための制御信号をドライバ５６に出力する。押しボタンスイッチＢ３（機能切替操作受付部）は、標識「ＭＯＤＥ」が設けられているように、機能モードの切り替えスイッチであり、コントロールモード以外で押下されることにより、予め設定された順番で電子腕時計４０が実行可能な機能モードを切り替えていく。
一方、表示画面４６ａに対して右側の側面部には、押しボタンスイッチＢ４、Ｂ５が設けられている。押しボタンスイッチＢ４は、標識「ＩＮＦＯ」が設けられているように、基本時計モードで押下されることで、Bluetooth通信によりスマートフォン１０から取得された当該スマートフォン１０への直近の着信情報が表示される。押しボタンスイッチＢ５は、標識「ＦＩＮＤ」が設けられているように、基本時計モードで所定時間、例えば、３秒間継続して押下されることで、Bluetoothによる通信接続がなされている外部機器、即ち、スマートフォン１０に所定の報知動作を行わせ、このスマートフォン１０の所在を知らせる。また、これらの押しボタンスイッチＢ４、Ｂ５は、ストップウォッチ機能に係るモードでは、時間計測の開始、終了、リセット及びラップタイムやスプリットタイムの取得にも用いられる。
【００２０】
Bluetoothモジュール４８は、アンテナＡＮ４を介してスマートフォン１０などの外部機器との間でBluetoothによる通信を行うための制御モジュールである。ＣＰＵ４１から送られた送信データは、ＵＡＲＴ４９でシリアル／パラレル変換などの処理が行われて、Bluetoothモジュール４８から外部機器に送信される。また、アンテナＡＮ４及びBluetoothモジュール４８により受信された受信データは、ＵＡＲＴ４９でシリアル／パラレル変換などの処理が行われて、ＣＰＵ４１へ出力される。
Bluetoothモジュール４８及びアンテナＡＮ４により第１通信手段が構成される。
【００２１】
傾斜センサ５０は、電子腕時計４０が所定の方向に傾斜したか否かを検出して、ＣＰＵ４１にオンオフを示す信号を出力する。この傾斜センサ５０は、例えば、表示画面４６ａの上下方向に表示画面４６ａ下方が低くなるように傾いた状態を検出することが可能な種々の周知の構成を用いることが出来る。この場合、傾斜センサ５０は、傾斜角度自体を計測する必要が無い。
【００２２】
振動モータ５１、ブザー部５３及び照明部５５は、それぞれ、ドライバ５２、５４、５６からの駆動信号に応じて振動、ビープ音及び光を発する。振動モータ５１は、例えば、回転モータである。ブザー部５３には、例えば、ＰＺＴなどの圧電素子を用いることが出来る。また、照明部５５には、ＬＥＤなどの低消費電力の発光体が用いられる。
【００２３】
振動モータ５１及びブザー部５３は、種々の報知動作に用いられる。振動による報知（ヴァイブレーション設定、ＶＩＢ）とブザー音声による報知とは、ユーザの設定に基づいて適宜併用又は選択的に切り替えられる。
照明部５５は、通常、押しボタンスイッチＢ２の押下操作によって所定時間点灯される。また、照明部５５は、コントロールモード中などで押しボタンスイッチＢ２が照明の点灯に係る処理に対応して設定されていない場合や、セットアップモードで別途設定された場合には、傾斜センサ５０の計測する傾斜状態に基づいて自動的に所定時間点灯されるオートライトモード（ＬＴ）で動作される。
【００２４】
本実施形態のＣＰＵ４１や各部は、図示略の電源部から供給される電力により駆動される。この電源部のバッテリとしては、小型軽量であり、且つ、長期間に亘り安定的に電力供給の可能なものが望ましく、例えば、小型円盤状のボタン型一次電池が用いられる。或いは、バッテリには、ソーラ発電部と二次電池とを組み合わせたものが用いられ、又は、一次電池と併用されても良い。
【００２５】
図４は、スマートフォン１０の内部構成を示すブロック図である。
スマートフォン１０は、ＣＰＵ１１（第２制御手段、外部操作設定手段、外部操作受付制御手段）と、ＲＯＭ１２と、ＲＡＭ１３と、記憶部１４と、内蔵時計１５と、表示部１６（表示手段）及びそのドライバ１７と、操作部１８（第２操作手段）と、スピーカ１９と、マイク２０と、コーデック２１と、ＲＦ送受信回路２２と、携帯電話通信の電波送受信用アンテナＡＮ１１と、通信回路２３と、Bluetoothモジュール２４と、ＵＡＲＴ２５と、Bluetooth通信の電波送受信用アンテナＡＮ１２と、振動モータ２６及びそのドライバ２７と、バス３０などを備えている。
【００２６】
ＣＰＵ１１は、各種演算処理を行い、スマートフォン１０の全体動作の統括制御を行う。また、ＣＰＵ１１は、記憶部１４にインストールされた各種アプリケーションプログラム（アプリ）を実行する。
【００２７】
ＲＯＭ１２は、ＣＰＵ１１が実行する種々の制御プログラムや初期設定データを格納する。なお、ＲＯＭ１２は、その一部又は全部が書き換え可能な不揮発性メモリであっても良い。
ＲＡＭ１３は、ＣＰＵ１１に作業用のメモリ空間を提供し、作業用の一時データを記憶する揮発性メモリである。
【００２８】
記憶部１４は、読み書き可能な不揮発性のメモリであり、例えば、フラッシュメモリやＥＥＰＲＯＭ（Electrically Erasable and Programmable Read Only Memory）である。この記憶部１４には、ＣＰＵ１１により実行される各種アプリケーションプログラム１４２（アプリ）や当該アプリケーションプログラム１４２で利用される各種アプリケーションデータ１４３が記憶されている。ＣＰＵ１１は、ユーザの入力操作に係る命令に応じて必要なアプリやデータを読み出して実行（所定の動作処理）する。記憶部１４に記憶されるアプリとしては、例えば、音楽ソフトなどを再生するためのミュージックアプリ、ユーザの走行速度や距離を管理するためのランニングアプリやユーザの消費カロリー管理アプリといった種々のものが挙げられる。また、このアプリには、Bluetoothにより通信接続された電子機器への入力操作により実行中の他のアプリケーションプログラムの操作を受け付けるための外部操作設定プログラム１４１が含まれている。
【００２９】
内蔵時計１５は、現在時刻を計数して保持するカウンタである。スマートフォン１０では、この現在時刻が読み出されて、表示部１６に表示される。また、当該現在時刻データと各種機能に係る設定時刻データとが比較されて種々の動作が行われたりする。この内蔵時計１５の現在時刻データは、スマートフォン１０の起動時にＲＴＣ（Real Time Clock）から読み出されてカウンタの初期値とされる。また、この現在時刻データは、ＲＦ送受信回路２２による携帯電話の基地局との通信時に、随時当該基地局から取得される時刻データにより修正される。
【００３０】
表示部１６は、表示画面１６ａとして、例えば、ＬＣＤ（液晶ディスプレイ）を備える。ＣＰＵ１１から送られた制御信号により動作するドライバ１７（液晶ドライバ）は、ＬＣＤを駆動してスマートフォン１０の各種機能に係る表示を行わせる。この表示部１６は、他の表示方式の表示画面１６ａ、例えば、有機ＥＬＤ（Electro-Luminescent Display）を備えても良く、ドライバ１７は、表示画面１６ａの表示方式に応じて適宜選択される。
【００３１】
操作部１８は、タッチセンサを備え、表示部１６のＬＣＤ画面上におけるユーザのタッチ操作位置と操作内容とを検出して当該操作に応じた電気信号を発生させて、入力信号としてＣＰＵ１１に出力する。操作部１８は、更に、一又は複数の操作キーやスイッチを備え、ユーザが当該操作キーやスイッチに対して行った操作に基づく入力信号をＣＰＵ１１に出力する構成であっても良い。
【００３２】
スピーカ１９は、コーデック２１からの信号に基づいて電気信号を音声信号に変換して音声を出力する。また、マイク２０は、音波を検知して電気信号に変換し、コーデック２１に出力する。コーデック２１は、符号化圧縮されたデジタル音声信号をデコードしてアナログ信号としてスピーカ１９へ送るとともに、マイク２０から取得された音声信号をエンコードしてＣＰＵ１１や通信回路２３へ出力する。なお、通話用のスピーカとその他の報知音などを外部に出力するためのスピーカとを別個に備えることとしても良い。また、音声出力は、スピーカ１９だけではなく、図示略のイヤホンジャックへ出力させることが可能である。また、単なる報知動作用の音声出力としては、例えば、他にブザー発生部を備え、圧電素子を振動させてビープ音を出力させても良い。
【００３３】
ＲＦ送受信回路２２は、アンテナＡＮ１１を用いて携帯電話の通信基地局との間で行われる電話通信データやメール通信データの送受信処理を行う。また、通信回路２３は、ＲＦ送受信回路２２により送受信される送受信データに係る各種処理を行い、ＣＰＵ１１やコーデック２１との間でデータの受け渡しを行う。
【００３４】
Bluetoothモジュール２４は、アンテナＡＮ１２を介して電子腕時計４０などの外部機器との間でBluetooth通信を行うための制御モジュールである。ＣＰＵ１１から送られた送信データは、ＵＡＲＴ２５でシリアル／パラレル変換などの処理が行われて、Bluetoothモジュール２４から外部機器に送信される。また、外部機器からBluetoothモジュール２４を用いて受信された受信データは、ＵＡＲＴ２５でパラレル／シリアル変換などの処理が行われて、入力信号としてＣＰＵ１１へ出力される。
Bluetoothモジュール２４とアンテナＡＮ１２により、第２通信手段が構成される。
【００３５】
振動モータ２６は、振動を発することでユーザに報知を行うためのものである。ＣＰＵ１１からドライバ２７に制御信号が送られると、ドライバ２７は、振動モータ２６を動作させるのに必要な電圧信号に変換して出力する。振動モータ２６としては、例えば、回転モータが用いられる。
【００３６】
スマートフォン１０の電源には、例えば、充電可能なリチウムイオン電池が用いられる。
ＲＦ送受信回路２２、Bluetoothモジュール２４は、スマートフォン１０全体の電源操作とは別に、個別に電源供給をオンオフする制御が可能となっている。
【００３７】
次に、本実施形態の電子腕時計４０における機能モードの切り替えについて説明する。
図５は、電子腕時計４０における機能モードの切り替え順について説明する図である。
【００３８】
通常、電子腕時計４０は、現在時刻を表示する基本時計モード（通常の時刻表示に係る機能モード）で動作している。押しボタンスイッチＢ３が押下されると、矢印で示されるように、１回の押下動作ごとにストップウォッチモード、リコールモード、世界時計モード、アラームモード、タイマーモード、及びセットアップモードに順番に切り替えられ、再度押しボタンスイッチＢ３が押下されることで基本時計モードに戻る。
ここで、ストップウォッチモードは、ユーザが経過時間を計測するモードであり、リコールモードは、ストップウォッチモードにおいて計測され、ＲＡＭ１３に記憶された時間（ラップタイムやスプリットタイムを含む）を順番に呼び出して表示させるモードである。世界時計モードは、世界の都市を設定することによって当該都市の属するタイムゾーンでの時刻を表示させるモードである。アラームモードは、アラーム報知のオンオフ及び当該アラーム報知を行う時刻の設定を行うモードである。タイマーモードは、設定された時間を計数して、当該時間が経過したことを報知するモードである。また、セットアップモードは、各種電子腕時計４０の動作に係る設定を行うためのモードである。
【００３９】
これらの機能モードを順番に切り替える操作に加えて、本実施形態の電子腕時計４０では、所定の入力信号（第１入力信号）により、何れの機能モードからであっても直接コントロールモードへ切り替える動作が行われる。また、コントロールモードにある場合には、所定の入力信号（第２入力信号）により基本時計モードに遷移する。本実施形態の電子腕時計４０では、所定の入力信号として、Bluetoothにより通信接続された外部機器からの切り替え要求に係る入力信号が用いられる。
ここで、本実施形態の電子腕時計４０では、１のアプリに係るコントロールモード中において他のアプリに係るコントロールモードへの遷移命令が取得された場合には、当該他のアプリに係るコントロールモードに直接切り替えられる。
【００４０】
次に、本実施形態の電子腕時計４０の操作設定の切り替え動作について説明する。
図６は、本実施形態の電子腕時計４０の操作設定切り替えに係る表示画面を示す図である。
【００４１】
図６（ａ）は、スマートフォン１０の表示画面１６ａに表示された外部操作設定の選択画面の例を示す図である。
本実施形態の電子腕時計４０の操作設定は、スマートフォン１０において、当該スマートフォン１０の側で起動されているアプリの中からユーザが外部操作を受け付ける設定を行う又は解除することでなされる。ここでは、「ＭＵＳＩＣ」アプリと「ＲＵＮＮＩＮＧ」アプリとが起動されていて、外部操作の受付に係る選択が可能となっている。ここでユーザが、例えば、「ＭＵＳＩＣ」アプリの表示部分をタップ（タッチ）して選択することで、操作部１８から当該選択に係る信号がＣＰＵ１１に入力されると、ＣＰＵ１１は、Bluetoothモジュール２４を介して電子腕時計４０に対し、「ＭＵＳＩＣ」アプリに係るコントロールモードに遷移させる要求を送信する。電子腕時計４０でこの要求が受信されると、ＣＰＵ４１は、押しボタンスイッチＢ１〜Ｂ５の操作設定を、スマートフォン１０の「ＭＵＳＩＣ」アプリに係るコントロールモードに遷移させる。
【００４２】
図６（ｂ）は、「ＭＵＳＩＣ」アプリに係るコントロールモードに遷移した場合の表示画面４６ａの表示例を示す図である。
コントロールモードに遷移すると、表示画面４６ａ左下の水平セグメント４６１が点灯されて、コントロールモードであることが示される。また、表示画面４６ａ右上のドットマトリクス表示領域に、「ＭＵＳＩＣ」との表示がなされて、「ＭＵＳＩＣ」アプリの操作が可能な状態であることが示される。この状態では、例えば、押しボタンスイッチＢ１には、再生（Ｐｌａｙ）及び一時停止（Ｐａｕｓｅ）が交互に設定され、押しボタンスイッチＢ４、Ｂ５には、それぞれ、次に進む（Ｎｅｘｔ）及び前に戻る（Ｐｒｅｖｉｏｕｓ）が設定され、また、押しボタンスイッチＢ２、Ｂ３には、音量の増減がそれぞれ設定される。
また、楽曲の再生中には、ドットマトリクス表示領域には、楽曲名がスクロール表示させることが可能である。
【００４３】
これらの押しボタンスイッチＢ１〜Ｂ５の割り当てに係る設定は、アプリの種別と関連付けてスイッチ割当設定４３１に記憶される。このスイッチ割当設定４３１は、特には限られないが、スマートフォン１０における設定動作でユーザによりカスタマイズが可能であり、当該アプリに係る外部操作設定がなされた場合にスマートフォン１０から電子腕時計４０に送信されてＲＡＭ４３にスイッチ割当設定４３１として記憶される。
【００４４】
図７は、電子腕時計４０において実行されるスマートフォン１０のアプリ操作オンオフ設定処理のＣＰＵ４１による制御手順を示すフローチャートである。
図７（ａ）には、電子腕時計４０においてコントロールモードに遷移してアプリ操作をオンする処理の制御手順を示すフローチャートを示し、図７（ｂ）には、コントロールモードを終了してアプリ操作をオフする処理の制御手順を示すフローチャートを示す。
【００４５】
本実施形態のアプリ操作オン処理は、スマートフォン１０からBluetooth通信によりコントロールモードに遷移させる要求を取得することで開始される。アプリ操作オン処理が開始されると、ＣＰＵ４１は、電子腕時計４０がコントロールモードに遷移して良い状況にあるか否かを判別する（ステップＳ４０１）。コントロールモードに遷移して良い状態であると判別された場合には（ステップＳ４０１で“ＹＥＳ”）、ＣＰＵ４１は、コントロールモードに遷移して、押しボタンスイッチＢ１〜Ｂ５の受付内容に係る割り当て設定をBluetooth通信によって取得されたアプリ情報に対応するスイッチ割当設定に変更する（ステップＳ４０２）。そして、ＣＰＵ４１は、アプリ操作オン処理を終了する。コントロールモードに遷移して良い状態ではないと判別された場合には（ステップＳ４０１で“ＮＯ”）、ＣＰＵ４１は、そのままアプリ操作オン処理を終了する。なお、ステップＳ４０１の判別処理で“ＮＯ”に分岐した場合には、所定時間ステップＳ４０１の処理を繰り返して、コントロールモードに遷移して良い状態になるまで待機しても良い。
【００４６】
一方、本実施形態のアプリ操作オフ処理は、スマートフォン１０からBluetooth通信によりコントロールモードを終了させる要求を取得することで開始される。アプリ操作オフ処理が開始されると、ＣＰＵ４１は、コントロールモードを終了して、押しボタンスイッチＢ１〜Ｂ５のスイッチ割当設定を基本時計モードにおける設定に変更する（ステップＳ４５１）。そして、ＣＰＵ４１は、アプリ操作オフ処理を終了する。
【００４７】
図８は、スマートフォン１０において実行される電子腕時計４０におけるアプリ操作のオンオフに係る設定処理のＣＰＵ１１による制御手順を示すフローチャートである。
【００４８】
このアプリ操作設定処理は、スマートフォン１０においてアプリ制御プログラムの一部として、当該アプリに係る操作部１８への入力操作が検出された場合に実行される。
【００４９】
入力操作が検出されると、ＣＰＵ１１は、当該入力操作が外部操作選択画面、即ち、実行中のアプリを外部の電子腕時計４０への入力操作により操作させる設定を行う又は解除するための画面（外部操作選択画面）の表示命令に係るものであるか否かを判別する（ステップＳ１０１）。
【００５０】
外部操作選択画面の表示命令に係るものではないと判別された場合には（ステップＳ１０１で“ＮＯ”）、ＣＰＵ１１は、当該操作内容に応じた他の処理を実行する。
【００５１】
外部操作選択画面の表示命令に係るものであると判別された場合には（ステップＳ１０１で“ＹＥＳ”）、ＣＰＵ１１は、現在実行中であって、外部の電子腕時計４０からの操作受付が可能なアプリを検索する（ステップＳ１０２）。ＣＰＵ１１は、操作受付が可能として検出されたアプリを、図６（ａ）に示したように、表示部１６の表示画面に一覧表示させる（ステップＳ１０３）。それから、ＣＰＵ１１は、入力操作を待ち受ける。
【００５２】
ＣＰＵ１１は、入力操作があったか否かを判別する（ステップＳ１０４）。入力操作がないと判別された場合には（ステップＳ１０４で“ＮＯ”）、ＣＰＵ１１は、ステップＳ１０４の処理を繰り返す。
【００５３】
入力操作があったと判別された場合には（ステップＳ１０４で“ＹＥＳ”）、ＣＰＵ１１は、当該検出された入力操作がアプリの選択に係るものであるか否かを判別する（ステップＳ１０５）。アプリの選択に係るものではないと判別された場合、即ち、ここでは、選択がキャンセルされた場合には（ステップＳ１０５で“ＮＯ”）、ＣＰＵ１１は、アプリ操作設定処理を終了する。
【００５４】
アプリの選択に係る入力操作であると判別された場合には（ステップＳ１０５で“ＹＥＳ”）、ＣＰＵ１１は、当該選択されたアプリが現在Bluetoothによる通信接続先の電子腕時計４０でコントロールモードに設定されているか否かを判別する（ステップＳ１０６）。設定されていないと判別された場合には（ステップＳ１０６で“ＮＯ”）、ＣＰＵ１１は、当該選択されたアプリのコントロールモードに遷移させる要求を、電子腕時計４０に対しBluetoothモジュール２４を介して送信出力させる（ステップＳ１０７）。なお、このとき、他のアプリのコントロールモードである場合には、ＣＰＵ１１は、当該他のアプリのコントロールモードを同時に解除する。そして、ＣＰＵ１１は、アプリ操作設定処理を終了する。
【００５５】
コントロールモードに設定されていると判別された場合には（ステップＳ１０６で“ＹＥＳ”）、ＣＰＵ１１は、当該コントロールモードを終了させる要求を電子腕時計４０に対してBluetoothモジュール２４を介して送信出力させる（ステップＳ１０８）。そして、ＣＰＵ１１は、アプリ操作設定処理を終了する。
【００５６】
以上のように、本実施形態の操作設定切り替えシステム１に係る電子腕時計４０は、複数の押しボタンスイッチＢ１〜Ｂ５を有し、これらの押しボタンスイッチＢ１〜Ｂ５への入力操作に応じた入力信号を出力する操作部４５と、スマートフォン１０と近距離無線通信による通信を行って入力信号を受信し、出力信号を送信するBluetoothモジュール４８及びアンテナＡＮ４と、入力信号に応じた動作制御を行うＣＰＵ４１と、を備え、押しボタンスイッチＢ１〜Ｂ５のうちの１つである押しボタンスイッチＢ３は、ＣＰＵ４１により実行可能な複数の機能モードの中から何れかを選択して切り替えるための機能モードの切替スイッチであり、ＣＰＵ４１は、コントロールモードへの遷移を要求する入力信号が入力された場合には、押しボタンスイッチＢ３を含む押しボタンスイッチＢ１〜Ｂ５をスマートフォン１０で実行されるアプリの操作受付スイッチとして割り当てて、このアプリの操作受付スイッチとして割り当てられた押しボタンスイッチＢ１〜Ｂ５への入力操作が操作部４５により検出されてＣＰＵ４１に入力された場合には、Bluetoothモジュール４８を介してこの入力操作に応じたアプリ操作要求をスマートフォン１０へ送信し、コントロールモードの終了を要求する入力信号が入力された場合には、アプリの操作受付スイッチとしての割り当てを終了する。
従って、押しボタンスイッチの数が限られ、複雑な操作が行いづらい電子腕時計４０であっても操作の利便性を損なわずにより多様な機能動作が可能となる。特に、より多くの操作を要する外部機器（スマートフォン１０）を操作する場合に、機能モードの切替スイッチを一時的にスマートフォン１０の操作に利用することで、スマートフォン１０の操作に必要な押しボタンスイッチＢ１〜Ｂ５の操作を組み合わせるなどして煩雑化するのを抑えたり、操作可能なコマンドの制限を緩和したりすることが出来、一方で、当該スマートフォン１０の操作を行うコントロールモードが終了した場合には、容易に通常の操作状態に復帰させることが出来る。
【００５７】
また、特に、コントロールモードへの遷移を要求する入力信号及びコントロールモードの終了を要求する入力信号は、Bluetoothモジュール４８及びアンテナＡＮ４によりスマートフォン１０から受信された信号とすることで、所望のアプリの操作を電子腕時計４０の操作により可能とする設定操作や当該設定を解除する操作をスマートフォン１０の側でスマートフォン１０における当該アプリの操作の中で行うことが出来るので、ユーザが容易且つ確実に当該設定の切り替えを行うことが出来る。
【００５８】
また、押しボタンスイッチＢ１〜Ｂ５がアプリの操作受付スイッチとして割り当てられている間にBluetoothモジュール４８によるスマートフォン１０との通信接続が切断された場合には、ＣＰＵ４１は、当該割り当てを自動的に終了する。従って、スマートフォン１０のアプリの操作が不可能な状況でいつまでもコントロールモードを維持して電子腕時計４０の本来の操作を妨げない。また、スマートフォン１０においてアプリの終了操作、Bluetooth通信の接続解除、或いは、バッテリオフといった操作又は状況と、当該割当の解除操作とを重ねて行うというような二度手間を排除することが出来る。
【００５９】
また、アプリの操作受付スイッチとしての割り当てを終了した場合には、ＣＰＵ４１は、基本時計モードに遷移させる。従って、当該割り当ての終了時にどのモードに復帰したのかをユーザが迷って確認操作を行うといった手間を防止することが出来る。
【００６０】
また、操作設定切り替えシステム１を構成するスマートフォン１０は、Bluetoothによる通信を行うためのBluetoothモジュール２４及びアンテナＡＮ１２と、アプリの動作制御を行うＣＰＵ１１と、ユーザ操作を受け付ける操作部１８と、を備え、ＣＰＵ１１は、実行中のアプリについて、電子腕時計４０から所定の操作要求を受け付けるか否かを設定し、また、電子腕時計４０から所定の操作要求を受け付ける設定がなされている場合に、Bluetoothモジュール２４により電子腕時計４０から操作要求が受信された場合には、受信された操作要求に応じてアプリの動作制御を行う。
従って、スマートフォン１０を手に保持して直接操作するのが難しい場合、例えば、ランニング、ジョギング、登山などの各種運動中や自転車やバイクによる走行中、会議中、或いは、他の機器の操作中や荷物の所持中などに、より容易且つ無理なく電子腕時計４０から外部操作を受け付けて動作制御を行うことが出来る。
【００６１】
また、ユーザは、電子腕時計４０からの操作を受け付ける設定や解除する設定をスマートフォン１０のアプリ操作画面において行うことが出来るので、所望のアプリについて、容易且つ確実に当該設定を行うことが出来る。
【００６２】
また、表示部１６を備え、ＣＰＵ１１は、操作部１８へのユーザの入力操作に基づいて実行中のアプリを検索し、当該検出されたアプリをスマートフォン１０のアプリ操作画面においてリスト表示させて、ユーザに電子腕時計４０からの外部操作を受付可能に設定するアプリを選択させる操作を可能とすることで、ユーザが複数のアプリや処理を並列で実行している場合に、１の処理に係る操作を行いながら、他の処理に係る操作を容易に外部操作の受付可能状態に変更することが出来る。例えば、ニュースなどのテキストの閲覧中やメールの作成中などにミュージックの再生状態を電子腕時計４０で操作可能とするような設定を容易に行うことが出来る。また、スマートフォン１０の側での操作対象アプリと電子腕時計４０の側での操作対象アプリとを容易に入れ換えたりすることも出来る。
【００６３】
［変形例］
次に、本実施形態の操作設定切り替えシステム１における電子腕時計４０のコントロールモードのオンオフ設定に係る動作の変形例について説明する。
【００６４】
図９は、電子腕時計４０において、図７に示したアプリ操作のオンオフ設定に係る操作に代えて又は加えて実行される押しボタンスイッチＢ１〜Ｂ５の操作に対する処理のＣＰＵ４１による制御手順を示すフローチャートである。
【００６５】
図９（ａ）は、コントロールモード以外の通常の各機能モードにおいて押しボタンスイッチＢ１〜Ｂ５の何れかの押下が検出された場合に実行される通常操作処理の制御手順を示すフローチャートである。
【００６６】
通常操作処理が開始されると、ＣＰＵ４１は、押下された押しボタンスイッチが押しボタンスイッチＢ３であるか否かを判別する（ステップＳ４１１）。押しボタンスイッチＢ３ではないと判別された場合には（ステップＳ４１１で“ＮＯ”）、ＣＰＵ４１は、現在実行中の機能モードと押下された押しボタンスイッチとに応じて設定されている他の処理を実行する。
【００６７】
押しボタンスイッチＢ３であると判別された場合には（ステップＳ４１１で“ＹＥＳ”）、ＣＰＵ４１は、当該押しボタンスイッチＢ３が所定時間（例えば、３秒）継続して押下された長押しであるか否かを判別する（ステップＳ４１２）。長押しではないと判別された場合には（ステップＳ４１２で“ＮＯ”）、ＣＰＵ４１は、現在動作中の機能モードの次の機能モードに遷移させる（ステップＳ４１６）。そして、ＣＰＵ４１は、通常操作処理を終了する。
【００６８】
押しボタンスイッチＢ３が長押しされたと判別された場合には（ステップＳ４１２で“ＹＥＳ”）、ＣＰＵ４１は、スマートフォン１０とBluetoothによる通信接続中であるか否かを判別する（ステップＳ４１３）。通信接続中ではないと判別された場合には（ステップＳ４１３で“ＮＯ”）、ＣＰＵ４１の処理は、ステップＳ４１６に移行する。通信接続中であると判別された場合には（ステップＳ４１３で“ＹＥＳ”）、ＣＰＵ４１は、Bluetoothで接続中のスマートフォン１０で実行中のアプリに係るコントロールモードに遷移させる（ステップＳ４１４）。ＣＰＵ４１は、スマートフォン１０で実行中のアプリに係る情報をBluetooth通信によりスマートフォン１０に問い合わせて取得する。このとき、スマートフォン１０で複数のアプリが並列に実行されている場合には、例えば、電子腕時計４０の側で前回又はより直近で実行されたアプリに係るコントロールモードに遷移させても良いし、スマートフォン１０の側で過去の履歴などに基づき最適なアプリを選択して設定情報を電子腕時計４０に送信しても良い。或いは、ＣＰＵ４１は、複数のアプリからの選択を行わず、単一のアプリが実行されている場合にのみ当該アプリに係るコントロールモードに遷移しても良い。
【００６９】
ＣＰＵ４１は、押しボタンスイッチＢ１〜Ｂ５の操作検知を、押下した時点での検知から、押下が終了した時点での検知（リリース検知）に変更する（ステップＳ４１５）。そして、ＣＰＵ４１は、通常操作処理を終了する。
【００７０】
図９（ｂ）は、コントロールモードにおいて押しボタンスイッチＢ１〜Ｂ５の何れかが操作された場合の制御に係る機能制御操作処理のＣＰＵ４１による制御手順を示すフローチャートである。
このコントロールモードでは、上述のように、押しボタンスイッチの操作検知は、リリース検知である。ここで、リリース検知とは、通常、押しボタンスイッチの押下された状態が解除された（押下操作が実際に終了した）タイミングを検出することを指すが、長押し検出に関しては、押下された状態で３秒間が経過した時点で３秒間の押下操作が終了したと判断して長押し操作に対応する動作処理を開始させて良い。
【００７１】
ＣＰＵ４１は、押下されたのが押しボタンスイッチＢ３であるか否かを判別する（ステップＳ４６１）。押しボタンスイッチＢ３ではないと判別された場合には（ステップＳ４６１で“ＮＯ”）、押下された押しボタンスイッチに対応して設定された命令をスマートフォン１０に対してBluetoothモジュール４８を介して送信させる（ステップＳ４６４）。そして、ＣＰＵ４１は、機能制御操作処理を終了する。
【００７２】
押しボタンスイッチＢ３であると判別された場合には（ステップＳ４６１で“ＹＥＳ”）、ＣＰＵ４１は、当該押しボタンスイッチＢ３が３秒押下された長押し操作であったか否かを判別する（ステップＳ４６２）。長押し操作ではなかったと判別された場合には（ステップＳ４６２で“ＮＯ”）、ＣＰＵ４１の処理は、ステップＳ４６５に移行して、当該押しボタンスイッチＢ３に対応して設定された命令をスマートフォン１０に対してBluetoothモジュール４８を介して送信させる。
【００７３】
押しボタンスイッチＢ３の長押し操作であったと判別された場合には（ステップＳ４６２で“ＹＥＳ”）、ＣＰＵ４１は、コントロールモードを終了して基本時計モードに遷移させる（ステップＳ４６３）。また、ＣＰＵ４１は、押しボタンスイッチＢ１〜Ｂ５の操作検出をリリース検知から押下したタイミングでの検知に戻す（ステップＳ４６４）。そして、ＣＰＵ４１は、機能制御操作処理を終了する。
【００７４】
なお、コントロールモードにおいて、スマートフォン１０とのBluetooth通信の接続が切断された場合には、ＣＰＵ４１は、所定時間待機した後に基本時計モードに遷移させる処理を実行することが出来る。また、スマートフォン１０において、外部操作を受け付ける設定になっているアプリが終了された場合には、ＣＰＵ１１は、当該終了に際してBluetoothモジュール２４を介し、電子腕時計４０にコントロールモードの終了を要求することで、電子腕時計４０の操作設定を通常の基本時計モードに戻させる。
【００７５】
以上のように、操作設定切り替えシステム１における電子腕時計４０のコントロールモードのオンオフ設定に係る動作の変形例では、電子腕時計４０におけるコントロールモードへの遷移及び終了を要求する入力信号は、押しボタンスイッチＢ３の長押し操作が検出されることで操作部４５から出力される信号とすることで、電子腕時計４０の側でも切替が可能としている。従って、既にスマートフォン１０を直接操作出来ない状態になってからであっても、電子腕時計４０からスマートフォン１０で実行中のアプリを操作することが出来る。また、電子腕時計４０の側で他の操作を行いたい場合に、スマートフォン１０を操作しなくても容易に電子腕時計４０の操作でコントロールモードを終了又は中断させることが出来る。
また、このコントロールモード中には、押しボタンスイッチＢ１〜Ｂ５の操作検出をリリース検知とすることで、コントロールモードを終了させたい場合に押しボタンスイッチＢ３が押下された段階でスマートフォン１０に当該押しボタンスイッチＢ３の操作に係る操作要求がスマートフォン１０に送信されてしまうことを防ぐことが出来る。
【００７６】
なお、本発明は、上記実施の形態に限られるものではなく、様々な変更が可能である。
例えば、上記実施の形態では、操作受付部として５つの押しボタンスイッチＢ１〜Ｂ５を例に挙げて説明したが、その他のもの、例えば、りゅうずやタッチセンサなどが含まれていても良い。この場合、図９で示した３秒間の長押しの代わりに、りゅうずの所定角度以上の連続回転やダブルタップの検出を当該回転操作やタッピング動作がなされてから所定時間経過した後に行っても良い。
また、上記実施の形態では、コントロールモードへの遷移要求に係る操作と、コントロールモードの終了に係る操作とは、同一の操作である例を挙げて説明したが、異なる操作であっても良い。
【００７７】
また、上記実施の形態では、スマートフォン１０において実行中のアプリの中から電子腕時計４０による操作要求を受け付けるものが選択可能にリスト表示される例を示したが、所定のソフトウェアを起動中に電子腕時計４０とBluetoothによる通信接続がなされている場合には、自動的に電子腕時計４０を当該アプリに係るコントロールモードに遷移させることとしても良い。一方で、電子腕時計４０では、このように自動的にコントロールモードに遷移させない設定を行うことが可能であっても良い。
【００７８】
また、上記実施の形態では、電子腕時計４０において、各押しボタンスイッチＢ１〜Ｂ５に各々対応した操作内容をスイッチ割当設定４３１として記憶させておき、当該操作内容をスマートフォン１０に送信することとしたが、電子腕時計４０ではスイッチ割当設定４３１を記憶保持せず、単に押下された押しボタンスイッチの情報のみをスマートフォン１０に送信して、スマートフォン１０においてＣＰＵ１１が要求された操作内容に翻訳して動作処理を行っても良い。但し、選択対象のアプリ操作に必要な押しボタン数や操作種別がアプリに応じて変化する場合、特に、押しボタンスイッチＢ３をコントロールモードに遷移させる必要があるアプリと必要がないアプリとが混在するような場合には、電子腕時計４０は、少なくとも何れの押しボタンスイッチがコントロールモードに遷移されるかに係る情報を取得する必要がある。
【００７９】
また、上記実施の形態では、電子腕時計４０によるアプリ操作中に電子腕時計４０とスマートフォン１０との通信接続が切断された場合には、単純に電子腕時計４０を通常の基本時計モードに復帰させることとしたが、所定時間接続が再開されるのを待機したり、ユーザに基本時計モードへ復帰させるか否かを選択させたりしても良い。
【００８０】
また、上記実施の形態では、スマートフォン１０のアプリ操作に係るコントロールモードが終了した場合には、通常の基本時計モードに復帰させることとしたが、コントロールモードへ遷移する前の機能モードに復帰させても良い。
【００８１】
また、スマートフォン１０では、毎回電子腕時計４０により操作可能な全ての起動中のアプリを検索する必要はなく、操作画面が開かれているアプリについての電子腕時計４０からの操作要求を受け付けるか否かの設定を行うだけであっても良い。
【００８２】
また、上記実施の形態では、近距離無線通信としてBluetoothを用いる例を挙げたが、その他のもの、例えば、ＺＩＧＢＥＥ（登録商標）などを用いても良い。
【００８３】
また、上記実施の形態では、電子腕時計を例に挙げて説明したが、小型でスマートフォンと共に携帯され得る懐中時計などの電子時計や、計時機能及び計時された現在時刻を表示する機能を有し、腕などの身体に装着されて電子時計としても用いられる各種電子機器についても本発明を適用することが出来る。
【００８４】
また、上記実施の形態では、電子腕時計４０により操作される対象の外部機器としてスマートフォン１０を例に挙げて説明したが、他の近距離無線通信可能な電子機器、例えば、携帯電話（フィーチャーフォン）、ＰＤＡ（Personal Digital Assistant）、音声再生装置や録音装置、録画装置や画像再生装置、各種電子計測機器、タブレット端末、或いは、ノート型やデスクトップ型のＰＣ（Personal Computer）などのアプリケーションソフトウェアが操作対象であっても良い。
【００８５】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００８６】
［付記］
＜請求項１＞
複数の操作受付部を有し、当該操作受付部への入力操作に応じた入力信号を出力する第１操作手段と、
外部機器と通信を行って入力信号を受信し、出力信号を送信する第１通信手段と、
入力信号に応じた動作制御を行う第１制御手段と、
を備え、
前記複数の操作受付部のうちの１つは、前記第１制御手段により実行可能な複数の機能モードの中から何れかを選択して切り替えるための機能切替操作受付部であり、
前記第１制御手段は、
所定の第１入力信号が入力された場合には、前記機能切替操作受付部を含む前記操作受付部を、前記外部機器で実行される所定の動作処理に係る外部機器操作受付部として割り当てて、
当該外部機器操作受付部として割り当てられた前記操作受付部への入力操作が検出された場合には、前記第１通信手段を介して当該入力操作に応じた前記動作処理に係る操作要求を前記外部機器へ送信し、
所定の第２入力信号が入力された場合には、前記外部機器操作受付部としての割り当てを終了する
ことを特徴とする電子時計。
＜請求項２＞
前記第１入力信号及び前記第２入力信号は、前記第１通信手段により前記外部機器から受信された信号であることを特徴とする請求項１記載の電子時計。
＜請求項３＞
前記複数の操作受付部には、押しボタンスイッチが含まれ、
前記第１入力信号及び前記第２入力信号は、所定の前記押しボタンスイッチが所定時間継続的に押下された長押し操作が検出されることで前記第１操作手段から出力される信号であり、
前記第１制御手段は、前記第１入力信号が入力されてから前記第２入力信号が入力されるまでの間、前記操作受付部への各操作の終了をそれぞれ検知した場合に前記外部機器操作受付部としてユーザの操作を受け付ける
ことを特徴とする請求項１又は２記載の電子時計。
＜請求項４＞
前記第１制御手段は、前記操作受付部を前記外部機器操作受付部として割り当てている間に前記第１通信手段による前記外部機器との通信接続が切断された場合には、当該割り当てを終了することを特徴とする請求項１〜３の何れか一項に記載の電子時計。
＜請求項５＞
前記第１制御手段は、前記外部機器操作受付部としての割り当てを終了した場合には、前記複数の機能モードのうち、通常の時刻表示に係る機能モードに遷移させることを特徴とする請求項１〜４の何れか一項に記載の電子時計。
＜請求項６＞
通信を行うための第２通信手段と、
一又は複数のアプリケーションの動作制御を行う第２制御手段と、
を備えた外部機器と、
請求項１〜５の何れか一項に記載の電子時計と、
を含む操作設定切り替えシステムであって、
前記第２制御手段は、
前記アプリケーションのうち実行中のものについて、前記電子時計から所定の操作要求を受け付けるか否かを設定する外部操作設定手段と、
前記電子時計から所定の操作要求を受け付ける設定がなされている場合に、前記第２通信手段により前記電子時計から当該操作要求が受信された場合には、当該受信された操作要求に応じて前記アプリケーションの動作制御を行う外部操作受付制御手段と、
を有する
ことを特徴とする操作設定切り替えシステム。
＜請求項７＞
前記外部機器は、ユーザ操作を受け付ける第２操作手段を備え、
前記外部操作設定手段は、前記第２操作手段へのユーザの入力操作に基づいて、前記アプリケーションのうち実行中のものについて、前記電子時計からの操作要求を受け付けるか否かを設定することを特徴とする請求項６記載の操作設定切り替えシステム。
＜請求項８＞
前記外部機器は、表示手段を備え、
前記外部操作設定手段は、前記第２操作手段へのユーザの入力操作に基づいて前記アプリケーションのうち実行中のものを検索し、当該検索されたアプリケーションを、ユーザによる選択操作が可能に前記表示手段にリスト表示させる
ことを特徴とする請求項７記載の操作設定切り替えシステム。
【符号の説明】
【００８７】
１     操作設定切り替えシステム
１０   スマートフォン
１１   ＣＰＵ
１２   ＲＯＭ
１３   ＲＡＭ
１４   記憶部
１４１ 外部操作設定プログラム
１４２ アプリケーションプログラム
１４３ アプリケーションデータ
１５   内蔵時計
１６   表示部
１６ａ 表示画面
１７   ドライバ
１８   操作部
１９   スピーカ
２０   マイク
２１   コーデック
２２   ＲＦ送受信回路
２３   通信回路
２４   Bluetoothモジュール
２５   ＵＡＲＴ
２６   振動モータ
２７   ドライバ
３０   バス
４０   電子腕時計
４１   ＣＰＵ
４２   ＲＯＭ
４２１ 接続制御プログラム
４３   ＲＡＭ
４３１ スイッチ割当設定
４４   計時回路
４５   操作部
４６   表示部
４６ａ 表示画面
４６１ 水平セグメント
４７   表示ドライバ
４８   Bluetoothモジュール
４９   ＵＡＲＴ
５０   傾斜センサ
５１   振動モータ
５２   ドライバ
５３   ブザー部
５４   ドライバ
５５   照明部
５６   ドライバ
５９   バス
ＡＮ１１      アンテナ
ＡＮ１２      アンテナ
ＡＮ４ アンテナ
Ｂ１〜Ｂ５    押しボタンスイッチ
【図１】
0005954307.tif 000002
【図２】
0005954307.tif 000003
【図３】
0005954307.tif 000004
【図４】
0005954307.tif 000005
【図５】
0005954307.tif 000006
【図６】
0005954307.tif 000007
【図７】
0005954307.tif 000008
【図８】
0005954307.tif 000009
【図９】
0005954307.tif 000010